(57)【要約】【課題】使用時には形状維持性が高く、不使用時には、折畳み機能を有するキャリーバッグを提供する。【解決手段】上面ｐ２に開口部ｈ２を有するバッグ本体２と、バッグ本体２の開口部ｈ２に開閉自在に設けられた蓋体３と、バッグ本体の下部側面の下方位置に設けられたキャスター５とを備え、バッグ本体２の両側面Ｓ２ａ、Ｓ２ｂの各々に設けられるプレート１１、１１の各々をバッグ本体２の両側面Ｓ２ａ、Ｓ２ｂの各々に着脱自在にしている。【選択図】図４
2006218145.tif 000002
【特許請求の範囲】
【請求項１】
上面に開口部を有するバッグ本体と、
前記バッグ本体の開口部に開閉自在に設けられた蓋体と、
前記バッグ本体の下部側面の下方位置に設けられたキャスターとを備え、
前記バッグ本体の両側面の各々に設けられるプレートの各々を前記バッグ本体の両側面の各々に着脱自在にされている、キャリーバッグ。
【請求項２】
前記バッグ本体の両側面の各々に設けられるプレートの各々が、各々の一端を、前記バッグ本体の両側面の各々の一端に接続された状態で着脱自在にされている、請求項１に記載のキャリーバッグ。
【請求項３】
前記バッグ本体の下部側面の下方位置にストッパーを備え、
且つ、前記ストッパーが、前記バッグ本体の下部側面に対し、着脱自在に設けられている、請求項１又は請求項２に記載のキャリーバッグ。
【請求項４】
前記ストッパーが、前記バッグ本体の下部側面に対し、その一端を接続された状態で、着脱自在に設けられている、請求項３に記載のキャリーバッグ。
【請求項５】
前記バッグ本体の背面側に、前記バッグ本体の上側側面から突出可能に且つ伸縮自在にハンドル部を備える、請求項１〜４のいずれかに記載のキャリーバッグ。
【発明の詳細な説明】
【技術分野】
【０００１】
本発明は、キャリーバッグに関し、特に、使用時には形状維持性が高く、不使用時には、折畳み機能を有するキャリーバッグに関する。
【背景技術】
【０００２】
近時、重い荷物を容易に運べるように、キャスターを備えるキャリーバッグが、幅広く利用されるようになっている。
【０００３】
図７は、そのような従来のキャリーバッグの一例を概略的に示す斜視図である。
【０００４】
また、図８は、図７に示すキャリーバッグの蓋体を開いた状態を模式的に示す平面図である。
【０００５】
このキャリーバッグ１０１は、バッグ本体１０２と、蓋体１０３とを備える。
【０００６】
バッグ本体１０２は、その上面ｐ１０２に開口部ｈ１０２を有する。
【０００７】
蓋体１０３は、バッグ本体１０２の開口部１０２に開閉自在に設けられている。
【０００８】
バッグ本体１０２の上側側面の外側表面（上方位置）には、握手部１０４が設けられている。
【０００９】
バッグ本体１０２の下部側面の外側表面（下方位置）には、キャスター１０５、１０５が設けられている。
【００１０】
また、このキャリーバッグ１０１には、キャリーバッグ１０１を立てた状態に維持できるように、バッグ本体１０２の下部側面の外側表面（下方位置）に、キャスター１０５、１０５の各々に対応するように、ストッパー１０６、１０６が設けられている。
【００１１】
また、このキャリーバッグ１０１は、バッグ本体１０２の四周側面内には、プレート１０７が設けられており、バッグ本体の形状が維持できるようにされている。
【００１２】
また、図７中、１０８で示す部材は、ハンドル部を示している。
【００１３】
ハンドル部１０８は、バッグ本体１０２の背面側に、上側側面の上方位置に上側側面から上方に突出可能に且つ伸縮自在に設けられている。
【００１４】
また、図７中、１０９で示す部材は、握手部を示している。
【００１５】
この握手部１０９は、バッグ本体１０２の一方の側面に必要により設けられるものである。
【００１６】
また、図８中、１１０で示す部材は、必要により設けられる、バッグ本体１０２内に収容する物を固定するためのベルト手段である。
【００１７】
このベルト手段１１０は、伸縮自在な部材でできており、開閉手段（嵌合手段）１１０ａ、１１０ｂにより開閉自在にされている。
【特許文献１】特開平２００２−１９９９２２号
【特許文献２】特開平２００４−１１４９２１号  また、キャリーバッグとして、バッグ本体の四周側面にプレートを入れていないものも既に存在する。
【特許文献３】特開２００２−５１８１８号
【発明の開示】
【発明が解決しようとする課題】
【００１８】
ところで、図７及び図８に示したキャリーバッグ１０１は、バッグ本体１０２の四周側面にプレートが入っているので、例えば、バッグ本体１０２内に、パーソナルコンピュータ（所謂、パソコン）、電気シェーバ、化粧品、洗面具その他の衝撃に注意を払う必要がある物を収容した場合であっても、バッグ本体１０２内に収容したものが、外部から衝撃を受け難い、という利点があるものの、バッグ本体１０２を折畳むことができないので、空の状態で、その体積が嵩む、という問題がある。
【００１９】
一方、バッグ本体の四周側面にプレートが入っていないキャリーバッグは、バッグ本体を折畳むことができるので、バッグ本体内が空の状態の時には、省スペース化ができる、という利点があるものの、例えば、バッグ本体１０２内に、パーソナルコンピュータ（所謂、パソコン）その他の衝撃に注意を払う必要がある物を収容した場合、バッグ本体１０２内に収容したものが、外部から衝撃を受け易い、という問題がある。
【００２０】
本発明は、以上のような問題を解決するためになされたものであって、使用時には、図７及び図８に示したキャリーバッグ１０１のように、バッグ本体１０２の四周側面の形状保持性に優れ、例えば、バッグ本体内に、パーソナルコンピュータ（所謂、パソコン）その他の衝撃に注意を払う必要がある物を収容した場合、バッグ本体内に収容したものが、外部から衝撃を受け難い、という利点があり、バッグ本体内が空の状態の時には、バッグ本体の四周側面にプレートが入っていないキャリーバッグと同様に、その四周側面を折畳むことができ、省スペース化ができる、キャリーバッグを提供することにある。
【課題を解決するための手段】
【００２１】
請求項１に記載のキャリーバッグは、上面に開口部を有するバッグ本体と、バッグ本体の開口部に開閉自在に設けられた蓋体と、バッグ本体の下部側面の下方位置に設けられたキャスターとを備え、バッグ本体の両側面の各々に設けられるプレートの各々をバッグ本体の両側面の各々に着脱自在にされている。
【００２２】
請求項２に記載のキャリーバッグは、請求項１に記載のキャリーバッグの、バッグ本体の両側面の各々に設けられるプレートの各々が、各々の一端を、バッグ本体の両側面の各々の一端に接続された状態で着脱自在にされている。
【００２３】
請求項３に記載のキャリーバッグは、請求項１又は請求項２に記載のキャリーバッグが、バッグ本体の下部側面の下方位置にストッパーを備え、且つ、ストッパーが、バッグ本体の下部側面に対し、着脱自在に設けられている。
【００２４】
請求項４に記載のキャリーバッグは、請求項３に記載のキャリーバッグの、ストッパーが、バッグ本体の下部側面に対し、その一端を接続された状態で、着脱自在に設けられている。
【００２５】
請求項５に記載のキャリーバッグは、請求項１〜４のいずれかに記載のキャリーバッグの、バッグ本体の背面側に、バッグ本体の上側側面から突出可能に且つ伸縮自在にハンドル部を備える。
【発明の効果】
【００２６】
請求項１に記載のキャリーバッグでは、バッグ本体の両側面の各々に設けられるプレートの各々を両側面の各々に着脱自在にされているので、このキャリーバッグには、使用時に、バッグ本体の両側面の各々にプレートを取り付けた状態にし、バッグ本体の形状を維持できるようにして使用することで、バッグ本体内に収容したものが、外部から衝撃を受け難い、という利点がある。且つ、このキャリーバッグは、バッグ本体の両側面の各々からプレートを取り外すことできるので、このキャリーバッグには、バッグ本体内が空の状態の時には、バッグ本体の四周側面を折畳むことができ、省スペース化ができる、という利点がある。
【００２７】
請求項２に記載のキャリーバッグでは、バッグ本体の両側面の各々に設けられるプレートの各々が、各々の一端を、バッグ本体の両側面の各々の一端に接続された状態で着脱自在にされているので、バッグ本体の両側面の各々からプレートを取り外した際に、プレートを紛失することがない。
【００２８】
請求項３に記載のキャリーバッグでは、ストッパーが、バッグ本体の下部側面に対し、着脱自在に設けているので、バッグ本体の四周側面を折畳む際に、ストッパーをバッグ本体の下部側面から取り外し、バッグ本体の内部に収容することができる。
【００２９】
この結果、このキャリーバッグは、バッグ本体の四周側面を折畳んだ際に、ストッパーをバッグ本体内に収容できるようにした分、更に、省スペース化が図れる。
【００３０】
請求項４に記載のキャリーバッグでは、ストッパーが、バッグ本体の下部側面に対し、その一端を接続された状態で着脱自在にされているので、バッグ本体の下部側面からストッパーを取り外した際に、ストッパーを紛失することがない。
【００３１】
請求項５に記載のキャリーバッグでは、バッグ本体の背面側に、バッグ本体の上側側面から突出可能に且つ伸縮自在にハンドル部を設けているので、バッグ本体内に重い物を収容した際に、ハンドル部を持って、キャスターを利用して、キャリーバッグを移動させることで、重い物を容易に移動できる。
【発明を実施するための最良の形態】
【００３２】
以下、本発明に係るバッグの一例を、図面を参照しながら、更に、詳しく説明する。
【００３３】
図１は、本発明に係るキャリーバッグの一例の使用時の状態を概略的に示す斜視図である。
【００３４】
また、図２は、図１に示すキャリーバッグの不使用時の状態を概略的に示す斜視図である。
【００３５】
また、図３は、図１に示すキャリーバッグの蓋体を開いた状態を模式的に示す平面図である。
【００３６】
このキャリーバッグ１は、バッグ本体２と、蓋体３とを備える。
【００３７】
バッグ本体２は、その上面ｐ２に開口部ｈ２を有する。
【００３８】
蓋体３は、バッグ本体２の開口部ｈ２に開閉自在に設けられている。
【００３９】
バッグ本体２の上側側面の上方位置には、握手部４が設けられている。
【００４０】
バッグ本体２の下部側面の下方位置には、キャスター５、５が設けられている。
【００４１】
また、このキャリーバッグ１には、キャリーバッグ１を立てた状態に維持できるように、バッグ本体２の下部側面の下方位置に、キャスター５、５の各々に対応するように、ストッパー６、６が設けられている。
【００４２】
また、図１中、８で示す部材は、ハンドル部を示している。
【００４３】
ハンドル部８は、バッグ本体２の背面側に、上側側面の上方位置に上側側面から上方に突出可能に且つ伸縮自在に設けられている。
【００４４】
また、図１中、９で示す部材は、握手部を示している。
【００４５】
この握手部９は、バッグ本体２の一方の側面に必要により設けられるものである。
【００４６】
また、図３中、１０で示す部材は、必要により設けられる、バッグ本体２内に収容する物を固定するためのベルト手段である。
【００４７】
このベルト手段１０は、伸縮自在な部材でできており、開閉手段（嵌合手段）１０ａ、１０ｂにより開閉自在にされている。
【００４８】
キャリーバッグ１の以上の構成は、従来のキャリーバッグ１０１の構成と同様であるが、このキャリーバッグ１は、以下の構成を備えている点で、従来のキャリーバッグ１０１の構成と、特に、異なっている。
【００４９】
このキャリーバッグ１は、バッグ本体２の両側面Ｓ２ａ、Ｓ２ｂの各々の内側表面に対し着脱自在に設けられたプレート１１、１１を備える。
【００５０】
この例では、プレート１１、１１の各々は、バッグ本体２の背面部材１４と、両側面Ｓ２ａ、Ｓ２ｂの各々が接続される辺Ｌａ、Ｌｂの各々に、接続されている。
【００５１】
また、プレート１１、１１の各々が両側面Ｓ２ａ、Ｓ２ｂの各々に対向する表面、及び、両側面Ｓ２ａ、Ｓ２ｂの各々がプレート１１、１１の各々に対向する表面は、脱着自在手段（図示せず。）が設けられている。
【００５２】
このような脱着自在手段（図示せず。）としては、一方側にフック手段が、他方側にはループ手段を備えるもの（例えば、商品名：マジックテープ（登録商標）、株式会社クラレ製）その他の嵌合手段や、磁性体、粘着材などを用いる。
【００５３】
また、バッグ本体２の上側側面Ｓ２ｃの内側表面（下方位置）には、プレート１２が固定的に取り付けられている。
【００５４】
また、バッグ本体２の下側側面Ｓ２ｄの内側表面（上方位置）には、プレート１３が着脱自在に取り付けられている。
【００５５】
図４及び図５の各々は、キャリーバッグ１を折畳む工程を模式的に示す図である。
【００５６】
このキャリーバッグ１を折畳む際は、まず、脱着自在手段（図示せず。）により両側面Ｓ２ａ、Ｓ２ｂに取り付けられている、プレート１１、１１の各々を、両側面Ｓ２ａ、Ｓ２ｂの各々から取り外し、バッグ本体２の背面部材１４と、両側面Ｓ２ａ、Ｓ２ｂの各々が接続される辺Ｌａ、Ｌｂの各々を回転軸の中心軸にして、バッグ本体２の背面部材１４側へ回動する。
【００５７】
次いで、図４に示すように、側面Ｓ２ａをバッグ本体２の内側方向に折畳む。
【００５８】
次いで、図５に示すように、上側側面Ｓ２ｃと、下側側面Ｓ２ｄとをバッグ本体２の内側方向に折畳む。
【００５９】
図６は、プレート１３及びストッパー６の取り付け構造とその動作を模式的に説明する説明図である。
【００６０】
このキャリーバッグ１では、図６（ａ）に示すように、プレート１３は、バッグ本体の下側側面Ｓ２ｄの開口部ｈ２が設けられている辺Ｌｃに接続されている。
【００６１】
尚、図６（ａ）中、２１で示す部材は、布等の柔かい生地その他の部材で製されたストッパー取り付け部材を示している。
【００６２】
このストッパー取り付け部材２１は、２つ折にされており、２つ折にされた一片が、バッグ本体の下側側面Ｓ２ｄの外表面に取り付けられている。
【００６３】
また、２２で示す部材は、脱着自在手段を示しており、２２ａ、２２ｂは、脱着自在手段の各々の脱着自在手段半体を示している。
【００６４】
このような脱着自在手段２２としては、一方側にフック手段が、他方側にはループ手段を備えるもの（例えば、商品名：マジックテープ(登録商標）、株式会社クラレ製）その他の嵌合手段や、磁性体、粘着材などを用いる。
【００６５】
脱着自在手段２２を構成する一対の脱着自在手段半体２２ａ、２２ｂの各々は、２つ折にされたストッパー取り付け部材２１の対向する各々の表面に取り付けられており、キャリーバッグ１を使用する際には、一対の脱着自在手段半体２２ａ、２２ｂは、着状態にされており、図６（ａ）のような状態になっており、ストッパーとしての機能を発揮するようにされている。
【００６６】
一方、キャリーバッグ１を折畳む際には、プレート１３を、辺Ｌｃを回転軸にして上方向に回動する。
【００６７】
また、一対の脱着自在手段半体２２ａ、２２ｂは、脱状態にする（以上の動作については、図６（ｂ）を参照。）。
【００６８】
その後、下側側面Ｓ２ｄを折畳み、ストッパー６をバッグ本体２の開口部ｈ３側からバッグ本体２内に回動させ、ストッパー６をプレート１３上に載置く（以上の動作については、図６（ｃ）を参照。）。
【００６９】
次いで、蓋体３を用いて、バッグ本体２の開口部ｈ２を閉じる（以上の動作については、図２を参照。）。
【００７０】
このキャリーバッグ１では、バッグ本体２の両側面Ｓ２ａ、Ｓ２ｂの各々に設けられるプレート１１、１１の各々を両側面Ｓ２ａ、Ｓ２ｂの各々に着脱自在にされているので、このキャリーバッグ１には、使用時に、バッグ本体２の両側面Ｓ２ａ、Ｓ２ｂの各々にプレート１１、１１を取り付けた状態にし、バッグ本体２の形状を維持できるようにして使用することで、バッグ本体２内に収容したものが、外部から衝撃を受け難い、という利点がある。且つ、このキャリーバッグ１は、バッグ本体２の両側面Ｓ２ａ、Ｓ２ｂの各々からプレート１１、１１を取り外すことできるので、このキャリーバッグ１１には、バッグ本体２内が空の状態の時（不使用時）には、バッグ本体２の四周側面を折畳むことができ、省スペース化ができる、という利点がある。
【００７１】
また、このキャリーバッグ１では、バッグ本体２の両側面Ｓ２ａ、Ｓ２ｂの各々に設けられるプレート１１、１１の各々が、各々の一端を、バッグ本体２の両側面Ｓ２ａ、Ｓ２ｂの各々の一端Ｌａ、Ｌｂに接続された状態で着脱自在にされているので、バッグ本体２の両側面Ｓ２ａ、Ｓ２ｂの各々からプレート１１、１１を取り外した際に、プレート１１、１１を紛失することがない。
【００７２】
また、このキャリーバッグ１では、ストッパー６、６が、バッグ本体２の下部側面Ｓ２ｄに対し、着脱自在に設けているので、バッグ本体２の四周側面を折畳む際に、ストッパー６、６をバッグ本体２の下部側面Ｓ２ｄから取り外し、バッグ本体２の内部に収容することができる。
【００７３】
この結果、このキャリーバッグ１は、バッグ本体２の四周側面を折畳んだ際に、ストッパー６、６をバッグ本体２内に収容できるようにした分、更に、省スペース化が図れる。
【００７４】
又、このキャリーバッグ１を折りたたんだ後、蓋体３と、バッグ本体２とが分離するのを防ぐため、図５に示すように、蓋体３の裏面の所定の位置及びバッグ本体２の側面Ｓ２ａの外表面側に脱着自在手段３１ａ、３１ｂを設けても良い。
【００７５】
このような脱着自在手段３１ａ、３１ｂとしては、一方側にフック手段が、他方側にはループ手段を備えるもの（例えば、商品名：マジックテープ（登録商標）、株式会社クラレ製）その他の嵌合手段や、磁性体、粘着材などを用いる。
【産業上の利用可能性】
【００７６】
本発明に係るキャリーバッグは、バッグ本体内に物を入れた場合には、バッグ本体の四周側面の形状保持ができるので、バッグ本体内に衝撃に注意を要するものを収容しても、バッグ本体内に収容したものが、外部から衝撃を受け難い、という利点があり、且つ、バッグ本体内が空の状態の時には、バッグ本体の四周側面を折畳むことができ、省スペース化ができる、という利点があるので、産業上の利用可能性が高い。
【図面の簡単な説明】
【００７７】
【図１】本発明に係るキャリーバッグの一例の使用時の状態を概略的に示す斜視図である。
【図２】図１に示すキャリーバッグの不使用時の状態を概略的に示す斜視図である。
【図３】図１に示すキャリーバッグの蓋体を開いた状態を模式的に示す平面図である。
【図４】本発明に係るキャリーバッグを折畳む工程を模式的に示す図である。
【図５】本発明に係るキャリーバッグを折畳む工程を模式的に示す図である。
【図６】本発明に係るキャリーバッグの構成部材である、プレート及びストッパーの取り付け構造とその動作を模式的に説明する説明図である。
【図７】従来のキャリーバッグの一例を概略的に示す斜視図である。
【図８】図７に示す、従来のキャリーバッグの蓋体を開いた状態を模式的に示す平面図である。
【符号の説明】
【００７８】
１  キャリーバッグ
２  バッグ本体
３  蓋体
４  握手部
５  キャスター
６  ストッパー
８  ハンドル部
１１  プレート
【図１】
2006218145.tif 000003
【図２】
2006218145.tif 000004
【図３】
2006218145.tif 000005
【図４】
2006218145.tif 000006
【図５】
2006218145.tif 000007
【図６】
2006218145.tif 000008
【図７】
2006218145.tif 000009
【図８】
2006218145.tif 000010